(57)【要約】【課題】  外壁パネルが屋内側から躯体に取り付けられた外壁構造を有する建物において、外壁パネルの一部分を屋外側からの作業だけで交換する。【解決手段】（１）交換領域の既設の外壁パネル１０を屋外側から取り外す。（２）既設パネルと同等の係合金具２０を裏面に取り付けた先付けパネル１１を交換領域に建て込み、屋外側から手を挿し入れて係合金具２０をレール部材３３に係着する。（３）未施工部分に隣接する先付けパネル１１の裏面側縁部には、屋外側から操作し得る係着部材５０を備えた外付け係着金具５１を取り付けておく。（４）裏面に外付け添接金具６０を取り付けた後付けパネル１２を未施工部分に建て込み、目地部分から外付け係着金具５１の係着部材５０を操作して後付けパネル１２の外付け添設金具６０に係着せしめる。【選択図】  図１３
2018071107.tif 000002
【特許請求の範囲】
【請求項１】
外壁パネルが、その裏面に取り付けられたフック部を有する係合金具を用いて、建物の躯体側に設けられたリップ付きのレール部材に屋内側からのボルト締結作業によって係着された外壁構造を備える建物において、
既設の外壁パネルを部分的に取り外し、その領域に新しい外壁パネルを取り付ける外壁パネルの交換工法であって、
（１）交換領域に位置する既設の外壁パネルを屋外側から切断またはコア抜きし、前記外壁パネルを前記レール部材に係着している係合金具を屋外側から取り外して前記外壁パネルを撤去する工程と、
（２）幅０．５ｍ以下に形成した新しい外壁パネルの裏面に前記係合金具と実質的に同等の係合金具を取り付けてなる先付けパネルを、交換領域の片側または両側から順次、建て込み、その側方の開口箇所から当該先付けパネルの裏側に手を挿し入れつつ前記係合金具をレール部材に係着して、所定枚数の先付けパネルを取り付けた後に幅０．５ｍ以下の未施工部分を残す工程と、
（３）前記未施工部分に隣接する先付けパネルの裏面側縁部または該未施工部分に近接する軸組部材の側面に、屋外側から操作し得る係着部材を備えた外付け係着金具を取り付けておく工程と、
（４）前記未施工部分に、その幅に相当する新しい外壁パネルの裏面に外付け添接金具を取り付けてなる後付けパネルを建て込み、当該後付けパネルの側方の目地部分から前記外付け係着金具の係着部材を操作して当該後付けパネルの外付け添接金具に係着せしめることにより、当該後付けパネルを前記未施工部分に取り付ける工程と、
を含むことを特徴とする外壁パネルの交換工法。
【請求項２】
請求項１に記載された外壁パネルの交換工法において、
前記先付けパネルまたは前記軸組部材に取り付けられる前記外付け係着金具は、前記先付けパネルの裏面または前記軸組部材の側面に固定されて側方に張り出す基板と、その基板に取り付けられた係着部材と、を具備し、前記基板には、外壁パネルの取付面よりも屋内側に後退した位置から前記後付けパネルの取付位置側へ張り出す張出片部が形成され、前記係着部材は、前記張出片部の屋外側に固定されるブラケットと、前記ブラケットにキャップボルトを介して取り付けられた押え爪片とを具備し、前記押え爪片の先端が屋内側へ向けて斜めに屈曲されるとともに、前記キャップボルトに挿装されたコイルばねにより前記押え爪片が前記基板の張出片部から離反する向きに付勢された状態で、縦向きから横向きまでの範囲内で回動しうるように保持される一方、
前記後付けパネルに取り付けられる前記外付け添接金具は、前記後付けパネルの裏面に固定される背板部と、前記背板部の側縁から持出し部を介して延設され、前記後付けパネルの裏面よりも屋内側に後退した位置から前記後付けパネルの側縁近傍まで張り出す添接片部と、を具備し、
前記外付け係着金具の前記押え爪片を縦向きにした状態で前記後付けパネルを建て込み、前記外付け添接金具の前記添接片部を前記外付け係着金具の前記張出片部に当接させて、屋外側から前記係着金具の前記押え爪片を回動させて前記添接片部に重ね、前記キャップボルトを締結して前記押え爪片を固定することにより、前記後付けパネルを取り付ける
ことを特徴とする外壁パネルの交換工法。
【発明の詳細な説明】
【技術分野】
【０００１】
本発明は、建物の構造体に取り付けられた外壁パネルが部分的に汚損するなどした場合に、当該部分の外壁パネルを交換する工法に関する。
【背景技術】
【０００２】
本出願人は、特に鉄骨造の工業化住宅に好適な外壁構造として、カーテンウォール方式の外壁構造を実用化し、長期間にわたって実施している。
【０００３】
図１〜図４は、本出願人が特許文献１等に開示している外壁構造の要部を示している。この外壁構造に採用される外壁パネル１０は、セメント系材料やセラミック系材料等を押出成形するなどして所定の形状に加工したものである。外壁パネル１０の表面（屋外側の面）には天然石材や煉瓦等の質感を模した起伏模様が形成され、裏面（屋内側の面）は略平坦に形成されて、厚み方向における中間部分には上下方向に連通する複数箇所の中空孔１０１が形成されている。
【０００４】
この外壁パネル１０は、図５に示すような係合金具２０を用いて、躯体を構成する鉄骨梁３０等（最下階にあっては基礎３１）に取り付けられる。係合金具２０は、鋼板をプレス加工するなどして形成された部材であり、その中央には上下方向に延びる長孔２０１が設けられ、上下いずれかの辺縁に側面視略Ｖ字形のフック部２０２が設けられている。この係合金具２０が、フック部２０２を外壁パネル１０の上縁または下縁に沿わせるようにして外壁パネル１０の裏面の四隅近傍にあてがわれる。そして、長孔２０１に屋内側から挿し込まれるボルト２１が、外壁パネル１０の裏面に形成された下孔１０２に挿通され、あらかじめ外壁パネル１０の中空孔１０１内に挿着されたバネ板片付きのナット金具２２に螺合される。
【０００５】
一方、鉄骨梁３０のフランジには、鋼板からなる持出しファスナー３２等を介して、係合金具２０を係着するためのレール部材３３が添設されている。レール部材３３は、少なくとも一辺縁にリップ部３３１を有する山形鋼やＣ形鋼等からなり、そのリップ部３３１を屋内側に向けて鉄骨梁３０に結合される。鉄骨梁３０の上フランジに取り付けられる持出しファスナー３２は、レール部材３３よりも屋外側に若干延び出して、外壁パネル１０の下縁を支持し得るようになっている。そして、クレーン等によって吊り上げられた外壁パネル１０がレール部材３３の外側面に建て込まれ、係合金具２０のフック部２０２がレール部材３３のリップ部３３１に係着されて、屋内側からボルト２１が所定の締付トルクで締結される。このようにして鉄骨梁３０に直接、取り付けられた外壁パネル１０は、その四隅がレール部材３３に沿って水平方向に変位するとともに、係合金具２０に形成された長孔２０１の範囲内で上下方向に変位することで、地震等による躯体の層間変位にも好適に追従し得るものとなる。
【０００６】
また、図６は、本出願人が特許文献２に開示している外壁構造の要部を示している。この外壁構造では、躯体を構成する各階の鉄骨梁３０（最下階にあっては基礎３１）の間に、リップ付きＣ形鋼を矩形に結合した軸組フレーム３４が組み付けられている。そして、その軸組フレームの上枠及び下枠を構成するリップ付き溝形鋼３５に、前述と同様の係合金具２０を用いて屋内側からボルト２１を締結することにより外壁パネル１０が係着される。
【先行技術文献】
【特許文献】
【０００７】
【特許文献１】特開２００１−１０７４８８号公報
【特許文献２】特開２００２−１８０５８０号公報
【発明の概要】
【発明が解決しようとする課題】
【０００８】
建物の外壁が、例えば自動車等の接触や飛来物の衝突によって割れたり、落書きや隣家の火災等によって汚れたりすると、その汚損箇所を部分的に補修しなければならなくなる。しかしながら、前述のような外壁構造では、外壁パネルが専用の係合金具を用いて屋内側からのボルト締結作業により躯体に取り付けられているため、汚損箇所の外壁パネルを屋外側からの作業で交換することは難しい。前述の外壁パネルを交換するには、躯体の屋内側から、内壁材、内装下地、断熱材、耐火被覆材等を順次、取り除いた後、汚損した外壁パネルの係合金具からボルトを抜いて外壁パネルを取り外し、新たな外壁パネルを屋内側からのボルト締結作業によって固定した後、再度、内装を復旧するという手順が必要になる。このように、外壁の部分的な補修に内装工事を伴うとなると、その分、余計な費用や時間がかかる。特に内装側の工事範囲は、外壁パネルの交換領域に比べて広い範囲にわたるのが通常であり、作業の工種も多くなるので、きわめて不経済である。
【０００９】
そのような内装工事を回避して屋外側からの作業だけで外壁パネルを交換しようとすると、汚損した外壁パネルを切断して取り外すことはできても、新たな外壁パネルを全て従前と同じ構造で取り付けることはできない。したがって、躯体側に適当な受け材等を添設し、その受け材等に屋外側から外壁パネルをビスまたはボルトで止め付けて、その止め付け箇所をタッチアップする、といった工法を採用することになる。しかし、そのようにして取り付けた外壁パネルは、その周囲を囲む既設の外壁パネルとは地震時等の挙動が異なるため、既設の外壁パネルの躯体変位に対する追従性能を阻害するおそれがある。
【００１０】
本発明は、かかる事情に鑑みてなされたもので、外壁パネルが屋内側からのボルト締結作業によって躯体に取り付けられた外壁構造を有する建物において、既設の外壁パネルの一部分を屋外側からの作業だけで容易に交換することができ、かつ、新設される外壁パネルの躯体変位に対する追従性能も好適に担保し得る外壁パネルの交換工法を提供することを目的とする。
【課題を解決するための手段】
【００１１】
前述の目的を達成するために本発明は、外壁パネルが、その裏面に取り付けられたフック部を有する係合金具を用いて、建物の躯体側に設けられたリップ付きのレール部材に屋内側からのボルト締結作業によって係着された外壁構造を備える建物において、既設の外壁パネルを部分的に取り外し、その領域に新しい外壁パネルを取り付ける外壁パネルの交換工法であって、
（１）交換領域に位置する既設の外壁パネルを屋外側から切断またはコア抜きし、前記外壁パネルを前記レール部材に係着している係合金具を屋外側から取り外して前記外壁パネルを撤去する工程と、
（２）幅０．５ｍ以下に形成した新しい外壁パネルの裏面に前記係合金具と実質的に同等の係合金具を取り付けてなる先付けパネルを、交換領域の片側または両側から順次、建て込み、その側方の開口箇所から当該先付けパネルの裏側に手を挿し入れつつ前記係合金具をレール部材に係着して、所定枚数の先付けパネルを取り付けた後に幅０．５ｍ以下の未施工部分を残す工程と、
（３）前記未施工部分に隣接する先付けパネルの裏面側縁部または該未施工部分に近接する軸組部材の側面に、屋外側から操作し得る係着部材を備えた外付け係着金具を取り付けておく工程と、
（４）前記未施工部分に、その幅に相当する新しい外壁パネルの裏面に外付け添接金具を取り付けてなる後付けパネルを建て込み、当該後付けパネルの側方の目地部分から前記外付け係着金具の係着部材を操作して当該後付けパネルの外付け添接金具に係着せしめることにより、当該後付けパネルを前記未施工部分に取り付ける工程と、
を含む、という構成を採用する。
【００１２】
さらに本発明は、前述の構成において、前記先付けパネルまたは前記軸組部材に取り付けられる前記外付け係着金具は、前記先付けパネルの裏面または前記軸組部材の側面に固定されて側方に張り出す基板と、その基板に取り付けられた係着部材と、を具備し、前記基板には、外壁パネルの取付面よりも屋内側に後退した位置から前記後付けパネルの取付位置側へ張り出す張出片部が形成され、前記係着部材は、前記張出片部の屋外側に固定されるブラケットと、前記ブラケットにキャップボルトを介して取り付けられた押え爪片とを具備し、前記押え爪片の先端が屋内側へ向けて斜めに屈曲されるとともに、前記キャップボルトに挿装されたコイルばねにより前記押え爪片が前記基板の張出片部から離反する向きに付勢された状態で、縦向きから横向きまでの範囲内で回動しうるように保持される一方、前記後付けパネルに取り付けられる前記外付け添接金具は、前記後付けパネルの裏面に固定される背板部と、前記背板部の側縁から持出し部を介して延設され、前記後付けパネルの裏面よりも屋内側に後退した位置から前記後付けパネルの側縁近傍まで張り出す添接片部と、を具備し、前記外付け係着金具の前記押え爪片を縦向きにした状態で前記後付けパネルを建て込み、前記外付け添接金具の前記添接片部を前記外付け係着金具の前記張出片部に当接させて、屋外側から前記係着金具の前記押え爪片を回動させて前記添接片部に重ね、前記キャップボルトを締結して前記押え爪片を固定することにより、前記後付けパネルを取り付ける、という構成を採用する。
【発明の効果】
【００１３】
前述のように構成される本発明の外壁パネルの交換工法によれば、既設の外壁パネルの撤去および新しい外壁パネルの取り付けを全て屋外側からの作業だけ行うことが可能になり、内装工事が不要になる。また、外壁パネルをビス止めせずに取り付けるので、タッチアップ補修も不要になる。これらにより、工事に要する時間が短縮され、工事費用も安価になり、工事中の居住者の生活面等にかかる負担や不便も小さくなる。
【００１４】
さらに、新しく取り付けられる外壁パネルの大部分（先付けパネル）は、既設の外壁パネルと同じ構造によって躯体に取り付けられ、交換領域に最後に取り付けられる後付けパネルは、特別に設計された専用の金具を用いて、先付けパネルまたは躯体の軸組等に係着されるので、地震時等の躯体変位に対する追従性能も好適に担保されることとなる。
【図面の簡単な説明】
【００１５】
【図１】従来の外壁構造に用いられる外壁パネルの背面側の斜視図である。
【図２】従来の外壁構造の要部を示す縦断面図である。
【図３】従来の外壁構造における外壁パネルの下端近傍の取付形態を示す斜視図である。
【図４】同じく、外壁パネルの上端近傍の取付形態を示す斜視図である。
【図５】従来の外壁構造に用いられる係合金具の斜視図である。
【図６】従来の外壁構造に係る他の納まりの例を示す縦断面図である。
【図７】本発明の実施によって外壁パネルを交換する建物の立面図であって、交換する既設の外壁パネル（斜線）を示す図である。
【図８】同じく、交換する既設の外壁パネルを撤去した状態の図である。
【図９】同じく、各交換領域に新設する外壁パネルのうち一部の先付けパネル（網点）を取り付けた状態の図である。
【図１０】先付けパネルと、その裏面に取り付けられる外付け係着金具の構成を示す斜視図である。
【図１１】本発明の実施によって外壁パネルを交換する建物の立面図であって、交換領域の一部に後付けパネル（網点）を取り付けた状態の図である。
【図１２】後付けパネルと、その裏面に取り付けられる外付け添接金具の構成を示す斜視図である。
【図１３】左右の先付けパネルの間に後付けパネルを挟み込んで固定する構造（固定前の状態）を示す横断面図である。
【図１４】左右の先付けパネルの間に後付けパネルを挟み込んで固定する構造（固定後の状態）を示す横断面図である。
【図１５】窓の枠部を構成する軸組部材に取り付けられる外付け係着金具の構成を示す斜視図である。
【図１６】窓の枠部を構成する軸組部材に添わせて後付けパネルを固定する構造（固定前の状態）を示す横断面図である。
【図１７】窓の枠部を構成する軸組部材に添わせて後付けパネルを固定する構造（固定後の状態）を示す横断面図である。
【図１８】本発明の実施によって外壁パネルを交換する建物の立面図であって、交換領域の残部に先付けパネル（網点）を取り付けた状態の図である。
【図１９】同じく、交換領域の残部に後付けパネル（網点）を取り付けた状態の図である。
【発明を実施するための形態】
【００１６】
以下、本発明の実施の形態について、図面を参照しつつ説明する。
【００１７】
図７は、本発明を適用して外壁パネルを交換する鉄骨造２階建て建物の立面図である。この建物の１階部分および２階部分には、図１〜図５に示した外壁構造によって、既設の外壁パネル１０が取り付けられている。なお、前記従来の外壁構造と実質的に同一の部位・部材については詳細な説明を省略し、図中には従来と共通の符号を付す。
【００１８】
この建物は、柱、壁、窓、出入口等の配置や、それら各部位を構成する部材等の寸法が、１ｍを単位寸法とする平面設計モジュールに則って設計されている。したがって、外壁パネル１０には、１ｍ幅の広幅パネルと、０．５ｍ幅の細幅パネルとの２種類が用いられており、それらが窓等の位置に合わせて組み合わせ配置されている。図７において、１階の斜線部分に取り付けられた５枚の外壁パネル１０（Ａ、Ｂ、Ｃ、Ｄ、Ｅ）が今回、汚損等によって交換されるパネルである。
【００１９】
交換領域の外壁パネル１０を取り外すには、屋外側から、当該外壁パネル１０を適所で切断するか、あるいはコアカッター等を用いて、当該外壁パネル１０を躯体に取り付けている係合金具２０の近傍をコア抜きする。そして、切断やコア抜きにより形成された開口部に手を挿し入れて、係合金具２０を締結しているボルト２１を緩め、レール部材３３等に対する係着を解除して外壁パネル１０を取り除く。
【００２０】
図８は、交換領域の外壁パネル１０が撤去された状態の立面図である。外壁パネル１０の撤去によって形成された開口箇所を、鎖線の対角線で示している。これらの開口箇所には、躯体を構成する鉄骨材（梁、柱、間柱、胴差、軸組フレーム、ブレース等）の一部や断熱材、防湿シート等が露出するが、図中には表示していない。
【００２１】
本実施形態では、外壁パネル１０（Ａ、Ｂ）を撤去して形成された、左側の窓４１の下方の交換領域Ｘ１と、外壁パネル１０（Ｃ）を撤去して形成された、窓４１の右側に隣接する縦長の交換領域Ｘ２と、外壁パネル１０（Ｄ、Ｅ）を撤去して形成された、右側の高窓４２の下方の交換領域Ｘ３とを、ほぼ同時並行で施工する。
【００２２】
各交換領域Ｘ１、Ｘ２、Ｘ３における新しい外壁パネル１０の取り付けは、原則として当該交換領域の両側から中央へ、という手順で行う。ただし、交換領域Ｘ１と交換領域Ｘ２とは隣接しているので、この箇所ではまず、交換領域Ｘ１の左側と交換領域Ｘ２の右側から外壁パネル１０の取り付けを開始し、それらが隣接する中間部分は、やや変則的な取り付け手順になる（後述）。
【００２３】
本発明では、各交換領域の片側または両側に順次取り付ける新しい外壁パネル１０を、これ以降の説明において「先付けパネル１１」と呼ぶ。また、所定枚数の先付けパネル１１を取り付けた後に残される幅０．５ｍ以下の未施工部分を最後に塞ぐようにして取り付けられる外壁パネル１０を「後付けパネル１２」と呼ぶ。
【００２４】
図９は、図８に示した３箇所の交換領域Ｘ１、Ｘ２、Ｘ３のそれぞれに、まず取り付けられる先付けパネル１１を網点で示している。先付けパネル１１は基本的に、図１〜図５に示した従来と同じ構造によって躯体に取り付けられる。すなわち、先付けパネル１１の裏面の四隅近傍に、あらかじめ図６に示した係合金具２０と実質的に同等の係合金具２０を、従来と同様にして取り付けておく。ここで「実質的に同等」とは、従来の係合金具２０と同一品か、または同様の作用効果を奏する類似品、改良品等との意味である。その先付けパネル１１を各交換領域Ｘ１、Ｘ２、Ｘ３の所定位置に建て込み、その側方の開口箇所から先付けパネル１１の裏側に作業者が手を挿し入れて、既設の外壁パネル１０が取り付けられていたレール部材３３や軸組フレーム３４に係合金具２０を係着し、ボルト２１を締結する。
【００２５】
ただし、このような作業は、先付けパネル１１の裏側に挿し入れる手が届く範囲内でしか行えない。そこで、先付けパネル１１は、その幅が０．５ｍ以下になるように形成し、取り付ける範囲が広い場合は、その先付けパネル１１を複数枚、並べることとする。例示形態では、交換領域Ｘ１において、１ｍ幅の外壁パネル１０（Ａ）が撤去された位置に、０．５ｍ幅の先付けパネル１１（ａ１、ａ２）を左から順に２枚並べて取り付ける。
【００２６】
窓４１に隣接する交換領域Ｘ２においては、その幅が０．５ｍなので、これをさらに二等分し、まず右側に０．２５ｍ幅の先付けパネル１１（ｃ２）を取り付ける。
【００２７】
また、右側の交換領域Ｘ３においては、その開口幅が１．５ｍなので、右側および左側に０．５ｍ幅の先付けパネル１１（ｄ１、ｅ１）をそれぞれ取り付ける。
【００２８】
こうして先に取り付けられる先付けパネル１１のうち、後述する後付けパネル１２に隣接するパネルには、その裏面側縁部に、後付けパネル１２を係着するための外付け係着金具（パネル連設タイプ）５１があらかじめ取り付けられる。図１０は、右側の交換領域Ｘ３に取り付けられる先付けパネル１１（ｅ１）と、その裏面に取り付けられる外付け係着金具５１の構成を示している。この先付けパネル１１の片方の側縁部には、４個の外付け係着金具５１が、適宜の上下間隔をもって取り付けられている。
【００２９】
外付け係着金具５１は、外壁パネル１０の裏面に固定されて側方に張り出す基板５１１と、その基板５１１に取り付けられて後付けパネル１２を押さえる係着部材５０と、からなる金具である。
【００３０】
基板５１１は、略矩形の鋼板を、その横幅方向における中間部２か所で互いに反対向きに屈曲した形状の部材であり、外壁パネル１０の裏面にあてがわれる固定片部５１２と、固定片部５１２の片側縁から固定片部５１２に直交して外壁パネル１０から離れる向きに延設された中間持出し部５１３と、中間持出し部５１３から固定片部５１２の反対側へ、固定片部５１２と平行になるように延設された張出片部５１４と、を具備している。固定片部５１２には上下２か所の固定孔５１５が形成されており、それらの固定孔５１５に屋内側から挿し込まれるボルト５３が、外壁パネル１０の裏面に形成された下孔（図示せず）に挿通され、さらに外壁パネル１０の最も側縁側の中空孔１０１内に挿着されたバネ板片付きのナット金具２２にそれぞれ締結される。これにより、基板５１１が、その張出片部５１４を外壁パネル１０の裏面よりも十数ｍｍ、屋内側に後退した位置から外壁パネル１０の側方へ数十ｍｍ、張り出した状態で、外壁パネル１０に固定される。
【００３１】
係着部材５０は、基板５１１の張出片部５１４に固定されるブラケット５０１と、ブラケット５０１に取り付けられる上下２個の押え爪片５０５とを具備している。ブラケット５０１は、縦長矩形の台板５０２と、台板５０２の中間部の両側縁から屋外側に延出するストッパー５０３とが一体に形成された部材で、台板５０２の中央部がボルト・ナット５０４を介して、基板５１１の張出片部５１４の屋外側の面に取り付けられている。
【００３２】
押え爪片５０５は、略矩形の板片からなる部材で、その基端近傍に軸孔（図示せず）が形成され、その軸孔に屋外側から、六角孔付きの頭部を有するキャップボルト５０６が挿通されている。このキャップボルト５０６が、その脚部に円錐形のコイルばね（図示せず）を挿装した状態で、ブラケット５０１の台板５０２に形成された雌ねじ孔（図示せず）に屋外側から締結されている。押え爪片５０５の先端は、屋内側へ向けて斜めに屈曲されている。このようにして取り付けられた押え爪片５０５は、基板５１１の張出片部５１４から離反する向きに付勢された状態で、少なくとも上下いずれかの一方が、キャップボルト５０６の軸周りに、縦向きから横向きまでの約９０度の範囲内で回動しうるようにブラケット５０１に止め付けられる。
【００３３】
図９に網点を付して示した先付けパネル１１のうち、この外付け係着金具５１が取り付けられるのは、交換領域Ｘ１における先付けパネル１１（ａ２）の右側縁と、交換領域Ｘ２における先付けパネル１１（ｃ２）の左側縁と、交換領域Ｘ３における先付けパネル１１（ｄ１）の右側縁および先付けパネル１１（ｅ１）の左側縁である。
【００３４】
こうして側縁部に外付け係着金具５１が取り付けられた先付けパネル１１に隣接して、後付けパネル１２が取り付けられる。図１１は、交換領域Ｘ２および交換領域Ｘ３にそれぞれ取り付けられる後付けパネル１２（ｃ１、ｄ２）を網点で示している。
【００３５】
これら後付けパネル１２の裏面には、先付けパネル１１の外付け係着金具５１と互いに係着される外付け添接金具６０があらかじめ取り付けられる。図１２は、交換領域Ｘ３の中央の未施工部分を塞ぐように取り付けられる後付けパネル１２（ｄ２）と、その裏面に取り付けられる外付け添接金具６０の構成を示している。この後付けパネル１２（ｄ２）は０．５ｍ幅で、その裏面には全部で８個の外付け係着金具５１が、適宜の上下間隔をもって縦方向に４個ずつ２列、取り付けられている。
【００３６】
外付け添接金具６０は、外壁パネル１０の裏面にあてがわれて固定される正面視矩形の背板部６０１と、背板部６０１の左右両側縁から背板部６０１に直交して外壁パネル１０から離れる向きに延設された左右一対の持出し部６０２と、背板部６０１の上下両側縁から背板部６０１に直交して外壁パネル１０から離れる向きに延設された上下一対の補剛折片６０３と、左右の持出し部６０２から背板部６０１の反対側へ、背板部６０１と平行になるようにそれぞれ延設された左右一対の添接片部６０４と、を具備している。
【００３７】
背板部６０１には左右２か所の固定孔６０５が形成されており、それらの固定孔６０５に屋内側から挿し込まれるボルト６１が、外壁パネル１０の裏面に形成された下孔１０２に挿通され、さらに外壁パネル１０の中空孔１０１内に挿着されたバネ板片付きのナット金具２２にそれぞれ締結される。
これにより、外付け添接金具６０が、左右の添接片部６０４のいずれか一方を、外壁パネル１０の裏面よりも十数ｍｍ、屋内側に後退した位置から外壁パネル１０の側縁近傍まで張り出した状態で、外壁パネル１０に固定される。
【００３８】
図１３および図１４は、右側の交換領域Ｘ３において、左右の先付けパネル１１（ｄ１、ｅ１）の間に後付けパネル１２（ｄ２）を挟み込んで固定する構造を示す横断面図である。図１３は固定前、図１４は固定後の状態をそれぞれ示している。
【００３９】
左右の先付けパネル１１（ｄ１、ｅ１）にそれぞれ取り付けられた外付け係着金具５１の押え爪片５０５を、あらかじめ縦向きにした状態で、左右の先付けパネル１１（ｄ１、ｅ１）の間に、正面から後付けパネル１２（ｄ２）を建て込む。すると、後付けパネル１２に取り付けられた外付け添接金具６０の添接片部６０４が、先付けパネル１１（ｄ１、ｅ１）にそれぞれ取り付けられた外付け係着金具５１の張出片部５１４に当接するので、先付けパネル１１と後付けパネル１２との間の目地部分に工具を挿し入れ、外付け係着金具５１の押え爪片５０５を９０度回動させて外付け添接金具６０の添接片部６０４に重ねる。この状態で、後付けパネル１２の位置や傾きを適宜、微調整しながら、目地部分に挿し入れた工具で外付け係着金具５１のキャップボルト５０６を締結し、押え爪片５０５を固定する。このようにして、屋外側からの作業だけで、後付けパネル１２を先付けパネル１１に係着することができる。
【００４０】
図１１に示した交換領域Ｘ２においては、先付けパネル１１（ｃ２）の左側に０．２５ｍ幅の未施工部分が残されており、ここに後付けパネル１２（ｃ１）が取り付けられる。この後付けパネル１２（ｃ１）は、その左側縁の上部ないし中間部が、交換領域Ｘ２に近接して配置された窓４１の枠部を構成する軸組部材３６（図１６、図１７参照）に係着され、下部が基礎３１に添設されたレール部材３３に係着される、という変則的な納まりになる。したがって、後付けパネル１２（ｃ１）の裏面の上部ないし中間部には、３個の外付け添接金具６０が適宜の上下間隔をもって縦方向に１列で取り付けられるとともに、後付けパネル１２（ｃ１）の裏面の下端近傍には、先付けパネル１１と同様にして１個の係合金具２０が取り付けられる。
【００４１】
一方、窓４１の枠部を構成する軸組部材３６には、後付けパネル１２（ｃ１）を係着するための外付け係着金具（軸組取付タイプ）５２があらかじめ取り付けられる。図１５は、軸組部材３６に取り付けられる外付け係着金具５２の構成を示している。軸組部材３６には相対するリップ部３６１を有するＣ形鋼が用いられており、そのＣ形鋼の開口面を挟んで相対するリップ部３６１に、外付け係着金具５２が固定される。
【００４２】
外付け係着金具５２は、Ｃ形鋼の側面に固定されて側方に張り出す基板５２１と、ボルト・ナットを介して基板５２１をＣ形鋼に固定する挟着板５４１と、基板５２１に取り付けられた係着部材５０と、からなる金具である。
【００４３】
基板５２１は、略矩形の鋼板を、その横幅方向における中間部３か所で略直角に屈曲した形状の部材であり、Ｃ形鋼の側面にあてがわれる固定片部５２２と、固定片部５２２の片側縁から固定片部５２２に直交して外壁パネル１０の取付面（Ｃ形鋼の屋外側の見付面）に沿うように張り出すパネル受止部５２３と、パネル受止部５２３の片側縁から固定片部５２２と平行に屋内側へ延設された中間持出し部５２４と、中間持出し部５２４からパネル受止部５２３の反対側へ、パネル受止部５２３と平行になるように延設された張出片部５２５と、を具備している。固定片部５２２の略中央には１か所の固定孔５２６が形成されている。
【００４４】
挟着板５４１は、長矩形の対角２か所を隅切りした形状の板片で、短辺寸法がＣ形鋼の開口幅（リップ間隔）よりもやや小さく、最長対角寸法がＣ形鋼のウェブ幅よりもやや大きくなるように形成され、中央にはボルト挿通孔５４２が形成されている。この挟着板５４１が、Ｃ形鋼のリップ部３６１の間からＣ形鋼の内側に挿し込まれ、基板５２１の固定片部５２２との間にリップ部３６１を挟み込んだ状態で、ボルト・ナット５５により固定片部５２２と締結される。これにより、基板５２１が、その張出片部５２５を外壁パネル１０の取付面よりも十数ｍｍ、屋内側に後退した位置から後付けパネル１２の取付位置側へ数十ｍｍ、張り出した状態で、軸組部材３６に固定される。
【００４５】
係着部材５０は、前述した外付け係着金具５１の係着部材５０と同一の構成をなすもので、基板５２１の張出片部５２５に固定されるブラケット５０１と、ブラケット５０１に取り付けられる上下２個の押え爪片５０５とを具備し、押え爪片５０５のいずれか一方が、キャップボルト５０６の軸周りに約９０度の範囲内で回動しうるように保持される。
【００４６】
図１６および図１７は、図１１に示した交換領域Ｘ２において、先付けパネル１１（ｃ２）と軸組部材３６との間に後付けパネル１２（ｃ１）を挟み込んで固定する構造を示す横断面図である。図１６は固定前、図１７は固定後の状態をそれぞれ示している。
【００４７】
先付けパネル１１（ｃ２）に取り付けられた外付け係着金具５１および軸組部材３６に取り付けられた外付け係着金具５２の各押え爪片５０５を、あらかじめ縦向きにした状態で、先付けパネル１１（ｃ２）と軸組部材３６との間に、正面から後付けパネル１２（ｃ１）を建て込む。すると、後付けパネル１２に取り付けられた外付け添接金具６０の左右の添接片部６０４が、外付け係着金具５１および外付け係着金具５２の張出片部５１４、５２５にそれぞれ当接するので、後付けパネル１２の両側の目地部分に工具を挿し入れ、外付け係着金具５１および外付け係着金具５２の各押え爪片５０５を９０度回動させて外付け添接金具６０の添接片部６０４に重ねる。この状態で、後付けパネル１２（ｃ１）の位置や傾きを適宜、微調整しながら、目地部分に挿し入れた工具で外付け係着金具５１および外付け係着金具５２のキャップボルト５０６を締結し、各押え爪片５０５を固定する。このようにして、軸組部材３６に添う部位にも、屋外側からの作業だけで後付けパネル２を取り付けることができる。
【００４８】
図１８および図１９は、前述の作業に続いて交換領域Ｘ１に取り付けられる先付けパネル１１（ｂ２）および後付けパネル１２（ｂ１）をそれぞれ網点で示している。交換領域Ｘ１の右側に、０．２５ｍ幅の先付けパネル１１（ｂ２）を、先に取り付けた先付けパネル１１と同様に、前記従来と同じ構造によって躯体に取り付ける。この先付けパネル１１（ｂ２）の左側縁には、あらかじめ２個の外付け係着金具５１が適宜の上下間隔をもって取り付けられている。
【００４９】
そして、左右の先付けパネル１１（ａ２、ｂ２）の間の未施工部分に、０．２５ｍ幅の後付けパネル１２（ｂ１）を正面から建て込む。この後付けパネル１２（ｂ１）の裏面には、あらかじめ２個の外付け添接金具６０が取り付けられている。そして、図１３および図１４に示した部位と同様に、後付けパネル１２（ｂ１）に取り付けられた外付け添接金具６０の添接片部６０４を、両側の先付けパネル１１（ａ２、ｂ２）に取り付けられた外付け係着金具５１の張出片部５１４に当接させた状態で、目地部分に工具を挿し入れ、外付け係着金具５１の押え爪片５０５を回動させて外付け添接金具６０の添接片部６０４に重ね、さらにキャップボルト５０６を締結して押え爪片５０５を固定する。こうして、交換領域Ｘ１への外壁パネル１０の取り付けも終了する。
【００５０】
最後に、新しく取り付けたパネル周りの目地部分にシーリング処理を施して、外壁パネル１０の交換作業は完了となる。
【００５１】
前述のようにして各交換領域に取り付けられる新しい外壁パネル１０のうち、既設の外壁パネル１０と同様の係合金具２０を用いて同じ納まりで取り付けられる先付けパネル１１は、地震時等の躯体変位に対しても、該交換領域の周囲を囲む既設の外壁パネル１０と同様の追従性能を発揮する。また、それらの先付けパネル１１や軸組部材３６等に外付け係着金具５１または外付け添接金具６０と、外付け係着金具５２とを用いて取り付けられる後付けパネル１２についても、キャップボルト５０６の締結トルクを適切に管理することにより、地震時等の躯体変位に対する追従性能を好適に担保することができる。
【００５２】
なお、本発明の技術的範囲は、例示した実施の形態によって限定的に解釈されるべきものではなく、特許請求の範囲の記載に基づいて概念的に解釈されるべきものである。本発明は、例示したような上下方向に連通する中空孔１０１を有する外壁パネル１０だけでなく、他の断面形状を有するパネル類や、ＡＬＣ壁板、サイディングボード等の交換にも適用可能である。また、本発明の実施に際しては、例示形態と実質的に同様の作用効果が得られる範囲において、各外壁パネル１０の形状や取り付け部位に応じ、外付け係着金具５１および外付け係着金具５２における基板５２１の形状等を適宜、改変するなどして実施することもできる。
【符号の説明】
【００５３】
１０  外壁パネル
１１  先付けパネル
１２  後付けパネル
１０１  中空孔
１０２  下孔
２０  係合金具
２０１  長孔
２０２  フック部
２１  ボルト
２２  ナット金具
３０  鉄骨梁
３１  基礎
３２  持出しファスナー
３３  レール部材
３３１  リップ部
３４  軸組フレーム
３５  リップ付き溝形鋼
３６  軸組部材
３６１  リップ部
４１  窓
４２  高窓
５０  係着部材
５０１  ブラケット
５０２  台板
５０３  ストッパー
５０４  ボルト・ナット
５０５  押え爪片
５０６  キャップボルト
５１  外付け係着金具（パネル連設タイプ）
５１１  基板
５１２  固定片部
５１３  中間持出し部
５１４  張出片部
５１５  固定孔
５２  外付け係着金具（軸組取付タイプ）
５２１  基板
５２２  固定片部
５２３  パネル受止部
５２４  中間持出し部
５２５  張出片部
５２６  固定孔
５３  ボルト
５４１  挟着板
５４２  ボルト挿通孔
５５  ボルト・ナット
６０  外付け添接金具
６０１  背板部
６０２  持出し部
６０３  補剛折片
６０４  添接片部
６０５  固定孔
６１  ボルト
Ｘ１  交換領域
Ｘ２  交換領域
Ｘ３  交換領域
【図１】
2018071107.tif 000003
【図２】
2018071107.tif 000004
【図３】
2018071107.tif 000005
【図４】
2018071107.tif 000006
【図５】
2018071107.tif 000007
【図６】
2018071107.tif 000008
【図７】
2018071107.tif 000009
【図８】
2018071107.tif 000010
【図９】
2018071107.tif 000011
【図１０】
2018071107.tif 000012
【図１１】
2018071107.tif 000013
【図１２】
2018071107.tif 000014
【図１３】
2018071107.tif 000015
【図１４】
2018071107.tif 000016
【図１５】
2018071107.tif 000017
【図１６】
2018071107.tif 000018
【図１７】
2018071107.tif 000019
【図１８】
2018071107.tif 000020
【図１９】
2018071107.tif 000021